(57)【要約】    【課題】  従来の熱電発電素子を備えた玩具と比較して、モータの推進力をさらに大きくすることができる玩具を提供する。    【解決手段】  火炎発生部１２２、火炎発生部１２２の上部に配置された熱電発電素子１２４及び熱電発電素子１２４の上部に配置され熱電発電素子１２４に熱的に接触されている水槽１２６を有する熱電発電部１２０と、熱電発電部１２０で発電された電力により回転可能なモータ１３２を有する駆動部１３０とを備えたことを特徴とする玩具。【選択図】  図１
2006130287.tif 000002
【特許請求の範囲】
【請求項１】
火炎発生部、この火炎発生部の上部に配置された熱電発電素子及びこの熱電発電素子の上部に配置され前記熱電発電素子に熱的に接触されている水槽を有する熱電発電部と、
前記熱電発電部で発電された電力により回転可能なモータを有する駆動部とを備えたことを特徴とする玩具。
【請求項２】
請求項１に記載の玩具において、
前記火炎発生部は、ろうそく設置部を有することを特徴とする玩具。
【請求項３】
請求項１に記載の玩具において、
前記火炎発生部は、アルコールランプを有することを特徴とする玩具。
【請求項４】
請求項１に記載の玩具において、
前記火炎発生部は、炭設置部を有することを特徴とする玩具。
【請求項５】
請求項１〜４のいずれかに記載の玩具において、
前記水槽は、少なくとも底面が金属からなることを特徴とする玩具。
【請求項６】
請求項１〜５のいずれかに記載の玩具において、
前記熱電発電部は、熱電発電素子の温度をモニターするための温度センサ及びこの温度センサにより検出された温度が所定温度を超えた場合に警報を発する警報装置をさらに有することを特徴とする玩具。
【請求項７】
請求項１〜６のいずれかに記載の玩具において、
前記水槽は、固定治具により前記熱電発電部に一体化されていることを特徴とする玩具。
【請求項８】
請求項１〜７のいずれかに記載の玩具において、
前記熱電発電部で発電された電力を蓄える蓄電装置をさらに備えたことを特徴とする玩具。
【請求項９】
請求項１〜８のいずれかに記載の玩具において、
前記熱電発電部から前記モータに供給される電力の極性を切り替える切替スイッチをさらに備えたことを特徴とする玩具。
【請求項１０】
請求項１〜９のいずれかに記載の玩具において、
前記駆動部は、前記モータの変速比を変更するための変速装置をさらに有することを特徴とする玩具。
【請求項１１】
請求項１〜１０のいずれかに記載の玩具において、
前記玩具は船玩具であって、前記モータによって駆動される外輪、スクリュー、オール又は櫓をさらに備えたことを特徴とする玩具。
【請求項１２】
請求項１〜１０のいずれかに記載の玩具において、
前記玩具は水陸両用車玩具であって、前記モータによって駆動される外輪をさらに備え、この外輪は車輪として機能するように構成されていることを特徴とする玩具。
【請求項１３】
請求項１〜１２のいずれかに記載の玩具において、
前記熱電発電部で発電された電力により外部バッテリー又は外部機器を充電するための充電用出力端子をさらに備えたことを特徴とする玩具。
【請求項１４】
組み立てることによって請求項１〜１３のいずれかに記載の玩具を構成することのできる玩具キット。
【請求項１５】
ランプ本体と、
このランプ本体に取り付けられ、火炎発生部、この火炎発生部の上部に配置された熱電発電素子及びこの熱電発電素子の上部に配置された放熱部を有する熱電発電部と、
前記ランプ本体に取り付けられ、前記熱電発電部で発電された電力により発光可能な光源とを備えたことを特徴とするランプ。
【請求項１６】
請求項１４に記載のランプにおいて、
前記火炎発生部は、アルコールランプを有することを特徴とするランプ。
【請求項１７】
請求項１４に記載のランプにおいて、
前記火炎発生部は、炭設置部を有することを特徴とするランプ。
【請求項１８】
請求項１４に記載のランプにおいて、
前記火炎発生部は、ろうそく設置部を有することを特徴とするランプ。
【請求項１９】
請求項１５〜１８のいずれかに記載のランプにおいて、
前記放熱部には放熱フィンが設けられていることを特徴とするランプ。
【請求項２０】
請求項１５〜１９のいずれかに記載のランプにおいて、
前記放熱部には放熱ファンが設けられていることを特徴とするランプ。
【請求項２１】
請求項１５〜２０のいずれかに記載のランプにおいて、
前記光源は、ＬＥＤからなることを特徴とするランプ。
【請求項２２】
請求項１５〜２１のいずれかに記載のランプにおいて、
前記熱電発電部で発電された電力を蓄える蓄電装置をさらに備えたことを特徴とするランプ。
【請求項２３】
請求項１５〜２２のいずれかに記載のランプにおいて、
前記ランプ本体は金属製の支柱を有し、この支柱は前記放熱部に熱的に接続されていることを特徴とするランプ。
【請求項２４】
請求項１５〜２３のいずれかに記載のランプにおいて、
前記熱電発電部で発電された電力により外部バッテリー又は外部機器を充電するための充電用出力端子をさらに備えたことを特徴とするランプ。
【請求項２５】
火炎発生部、この火炎発生部の上部に配置された熱電発電素子及びこの熱電発電素子の上部に配置された放熱部を有する熱電発電部と、
前記熱電発電部で発電された電力により外部バッテリー又は外部機器を充電するための充電用出力端子とを備えたことを特徴とする充電装置。
【請求項２６】
請求項２５に記載の充電装置において、
前記放熱部は、前記熱電発電素子に熱的に接触されている水槽であることを特徴とする充電装置。
【発明の詳細な説明】
【技術分野】
【０００１】
本発明は、熱電発電素子を備えた玩具、玩具キット、ランプ及び充電装置に関する。
【背景技術】
【０００２】
図１３は、熱電発電素子を備えた従来の玩具８００を説明するために示す図である。
従来の玩具８００は、図１３に示すように、水槽８５０を有する船玩具本体８１０と、船玩具本体８１０に収納されたモ−タ８２０と、モータ８２０の回転により駆動させられるスクリュー８３０とを備えた風呂用船玩具である。そして、この玩具８００における水槽８５０の底部には、上側に放熱部が配置され下側に吸熱部が配置された熱電発電素子８４０が配置されている。
【０００３】
このため、従来の玩具８００によれば、船玩具本体８１０を浴槽の湯に浮かべるとともに水槽８５０の中に氷水を入れることによって、熱電発電素子８４０が湯と氷水との温度差により発電を始める。その結果、発電によって生まれた電力によりモータ８２０、ひいてはスクリュー８３０が回転し、玩具８００が動き始める。
【０００４】
従って、従来の玩具８００は、電池がなくとも湯と氷水との温度差があれば動くため、玩具としての使用価値が高い。また、従来の玩具８００においては、氷水が温まって氷が溶けて水槽の水温が湯温に近づいて熱電発電効率が低下しても、水槽内の水を新鮮な氷水に取り替えればまた熱電発電効率を高めることができる。さらにまた、従来の玩具８００においては、水槽に新鮮な氷水を入れるだけで動き始めるので、熱電発電素子を使用した効果が目に見えるようになり、その結果、火力発電や原子力発電を代替する代替エネルギーの普及・啓蒙にも役立つ（例えば、特許文献１参照。）。
【０００５】
図１４は、熱電発電素子を備えた従来のランプ９００を説明するために示す図である。
従来のランプ９００は、図１４に示すように、台９１０とアイスペール９２０とを備えたランプである。従来のランプ９００における台９１０は、アイスペール９２０中の氷を冷熱源とし室温を温熱源として発電を行う熱電発電素子９１２と、熱電発電素子９１２によって発電された電力を用いて発光する複数の光源９１４とを有している。各光源９１４は、ＬＥＤからなる。熱電発電素子９１２は、その放熱部が台９１０の上面側になり、その吸熱部が台９１０の下面側になるように配置されている。熱電発電素子９１２の周囲には断熱材が配置されており、熱電発電素子９１２の放熱部と吸熱部との温度差を確保できるように構成されている。熱電発電素子９１２の吸熱部には図示していない吸熱フィンが取り付けられている。
【０００６】
台９１０の上にはガラス製のアイスペール９２０が配置されている。アイスペール９２０には氷が満たされている。従来のランプ９００においては、各光源９１４からの光は、そのアイスペール９２０及びアイスペール９２０に満たされている氷の表面や内面で複雑に屈折したり反射したりした後に外部に射出されるため、高い演出効果が得られている。また、従来のランプ９００においては、アイスペール９２０内の氷に動きがあると光にゆらぎが生じ、さらに高い演出効果が得られるという効果もある。また、従来のランプ９００においては、アイスペール９２０中に氷を適宜供給するだけで各光源９１４の発光を持続させることができるため、商用電力を使う必要がなく電気コードも不要となり、インテリアとしての価値も高い。さらにまた、従来のランプ９００においては、アイスペール９２０中に氷を適宜供給するだけで各光源９１４の発光を持続させることができるため、熱電発電素子９１２を使用した効果が目に見えるようになり、この結果、火力発電や原子力発電を代替する代替エネルギーの普及・啓蒙にも役立つという効果もある（例えば、特許文献１参照。）。
【０００７】
【特許文献１】特開２００３−３３９１８０号公報
【発明の開示】
【発明が解決しようとする課題】
【０００８】
しかしながら、従来の玩具８００においては、熱電発電素子８４０は、風呂の湯と氷水との間の比較的小さな温度差により発電を行うものであるため、発電量はそれほど大きなものとはならず、モータ８２０の推進力もそれほど大きなものではなかった。このため、従来の玩具８００においては、モータの推進力をさらに大きくしたいという要求がある。
また、従来のランプ９００においては、熱電発電素子９１２は、アイスペール９２０中の氷水と室温との間の比較的小さな温度差により発電を行うものであるため、発電量はそれほど大きなものとはならず、各光源９１４から発せられる光の光量もそれほど大きなものではなかった。このため、従来のランプ９００においては、光源から発せられる光の光量をさらに大きくしたいという要求がある。
【０００９】
そこで、本発明は、従来の熱電発電素子を備えた玩具と比較して、モータの推進力をさらに大きくすることができる、熱電発電能力の高い熱電発電素子を備えた玩具を提供することを目的とする。また、組み立てることでこのような玩具を構成することができる玩具キットを提供することを目的とする。
また、従来の熱電発電素子を備えたランプと比較して、光源から発せられる光の光量をさらに大きくすることができる、熱電発電能力の高い熱電発電素子を備えたランプを提供することを目的とする。
さらにまた、熱電発電効率の高い熱電発電素子を備えた充電装置を提供することを目的とする。
【課題を解決するための手段】
【００１０】
（１）本発明の玩具は、火炎発生部、この火炎発生部の上部に配置された熱電発電素子及びこの熱電発電素子の上部に配置され前記熱電発電素子に熱的に接触されている水槽を有する熱電発電部と、前記熱電発電部で発電された電力により回転可能なモータを有する駆動部とを備えたことを特徴とする。
【００１１】
このため、本発明の玩具によれば、水槽に氷水を入れた状態で火炎発生部で火炎を発生させることにより、熱電発電素子は火炎発生部で発生する火炎と水槽の中の氷水との間の温度差で熱電発電を行うようになる。このとき、火炎発生部で発生する火炎と水槽の中の氷水との間の温度差は、従来の玩具の場合の風呂の湯と氷水との間の温度差よりも大きくすることが可能であるため、本発明の玩具によれば、従来の熱電発電素子を備えた玩具と比較して、モータの推進力をさらに大きくすることができる玩具となる。
【００１２】
本発明の玩具においては、火炎発生部で発生する火炎の温度が高いため、この熱が熱電発電素子を介して水槽に伝わって、水槽においては徐々に氷が融けて水になる。そのような場合には、水槽における氷水の状態を見ながら適宜氷を注ぎ足すこととすればよい。
【００１３】
また、本発明の玩具においては、熱電発電素子は火炎発生部で発生する火炎と水槽の中の氷水との間の温度差で熱電発電を行うことができるため、熱電発電素子における火炎発生部側の温度をそれほど高くしなくとも温度差を確保できるため、熱電発電素子が速く劣化してしまうこともなくなる。
【００１４】
（２）上記（１）に記載の玩具においては、前記火炎発生部は、ろうそく設置部を有することが好ましい。
【００１５】
このように構成することにより、ろうそく設置部にろうそくを設置するとともに、このろうそくに火を灯すことにより、熱電発電素子が熱電発電を始め、玩具が動き始める。ろうそくが無くなったら、別のろうそくを設置することとすればよい。ろうそくの寿命も１．５ｃｍ長のろうそくで３分以上あり、玩具として遊ぶにのは丁度よい寿命といえる。もちろん、太い径のろうそくを用いることにより、長時間にわたって玩具を動かし続けることもできる。
【００１６】
（３）上記（１）に記載の玩具においては、前記火炎発生部は、アルコールランプを有することが好ましい。
【００１７】
このように構成することにより、アルコールランプにアルコールを入れるとともに、このアルコールランプに火を灯すことにより、熱電発電素子が熱電発電を始め、玩具が動き始める。アルコールが無くなったら、アルコールランプにアルコールを注ぎ足すこととすればよい。
【００１８】
（４）上記（１）に記載の玩具においては、前記火炎発生部は、炭設置部を有することが好ましい。
【００１９】
このように構成することにより、炭設置部に火のついた炭を設置することにより、熱電発電素子が熱電発電を始め、玩具が動き始める。炭は長時間に渡って燃え続けるため、それに応じて玩具も長時間動き続ける。
従って、本発明の玩具において、「火炎発生部」の用語は、炭設置部も含む概念で用いている。
【００２０】
（５）上記（１）〜（４）のいずれかに記載の玩具においては、前記水槽は、少なくとも底面が金属からなることが好ましい。
【００２１】
このように構成することにより、熱電発電素子と水槽との間で良好な熱的接続がとれるようになる。
この場合、熱電発電素子と水槽との間には、耐熱性のある熱伝導性グリースが塗布されていることが好ましい。なお、熱伝導性グリースに代えて、熱伝導性シートや熱伝導性両面テープを用いることもできる。
【００２２】
（６）上記（１）〜（５）のいずれかに記載の玩具においては、前記水槽は、固定解除可能な固定治具により前記熱電発電部に一体化されていることが好ましい。
【００２３】
このように構成することにより、水槽の氷が融けて水槽に適正量以上の水が溜まった状態になったときには、水槽中に溜まった水を吸い出して除去することのほか、固定治具を解除することによって水槽を取り外して、水槽中に溜まった水を容易に除去することができるようになる。
固定治具としては、ゴムやスプリングなどの弾性手段を好適に用いることができる。
【００２４】
（７）上記（１）〜（６）のいずれかに記載の玩具においては、前記熱電発電部は、熱電発電素子の温度をモニターするための温度センサ及びこの温度センサにより検出された温度が所定温度を超えた場合に警報を発する警報装置をさらに有することが好ましい。
【００２５】
このように構成することにより、例えば、水槽において氷水が少なくなって熱電発電素子の温度が上昇した場合には、警報装置が警報を発生するようにすることができる。このため、水槽において氷水が完全に無くなって熱電発電素子が過熱して破損してしまうことを未然に防止することができる。
この場合、警報装置としては、アラーム音を発するものであることが好ましい。
また、警報が発せられた場合の措置としては、火炎を消すことのほか、熱電発電素子を火炎発生部から取り外したり、水槽に氷を注ぎ足したりすることなどがある。
【００２６】
この場合、水槽と熱電発電素子とが一体化されたユニットになった状態で、上記した固定治具により熱電発電部に一体化されていることが好ましい。
このように構成することにより、熱電発電素子が過熱するおそれのあるときには、固定治具を解除するとともに水槽と熱電発電素子とが一体化されたユニットを取り外して、熱電発電素子が過熱するのを未然に防止することができる。
【００２７】
（８）上記（１）〜（７）のいずれかに記載の玩具においては、前記熱電発電部で発電された電力を蓄える蓄電装置をさらに備えることが好ましい。
【００２８】
このように構成することにより、火炎が発生しなくなってもしばらくは玩具を動かし続けることができるようになり、玩具としての価値を高めることができる。
この場合、蓄電装置としては、二次電池、大容量キャパシタなどを好ましく用いることができる。なかでも、急速に充電することが容易な大容量キャパシタを特に好ましく用いることができる。
【００２９】
（９）上記（１）〜（８）のいずれかに記載の玩具においては、前記熱電発電部から前記モータに供給される電力の極性を切り替える切替スイッチをさらに備えることが好ましい。
【００３０】
このように構成することにより、前進又は後進を自由自在に設定することができるようになり、やはり玩具としての価値を高めることができる。
【００３１】
（１０）上記（１）〜（９）のいずれかに記載の玩具においては、前記駆動部は、前記モータの変速比を変更するための変速装置をさらに有することが好ましい。
【００３２】
このように構成することにより、モータの変速比を自由自在に設定することができるようになり、やはり玩具としての価値を高めることができる。
【００３３】
（１１）上記（１）〜（１０）のいずれかに記載の玩具においては、前記玩具は船玩具であって、前記モータによって駆動される外輪、スクリュー、オール又は櫓をさらに備えることが好ましい。
【００３４】
このように構成することにより、風呂、水槽、プール、池などにこの船玩具を浮かべて遊ぶことができるため、価値の高い船玩具となる。
【００３５】
（１２）上記（１）〜（１０）のいずれかに記載の玩具においては、前記玩具は水陸両用車玩具であって、前記モータによって駆動される外輪をさらに備え、この外輪は車輪としても機能するように構成されていることが好ましい。
【００３６】
このように構成することにより、風呂、水槽、プール、池などにこの水陸両用車玩具を浮かべたり、陸上でこの水陸両用車玩具を走らせたりして遊ぶことができるため、価値の高い水陸両用車玩具となる。
【００３７】
（１３）上記（１）〜（１２）のいずれかに記載の玩具においては、前記熱電発電部で発電された電力により外部バッテリー又は外部機器を充電するための充電用出力端子をさらに備えることが好ましい。
【００３８】
このように構成することにより、商用電源がない場所であっても、本発明の玩具があれば、外部バッテリー又は外部機器を充電することができるようになるため、玩具としての価値を高めることができる。
【００３９】
（１４）本発明の玩具キットは、組み立てることによって上記（１）〜（１３）のいずれかに記載の玩具を構成することのできる玩具キットである。
【００４０】
このように構成することにより、この玩具キットの購入者は、この玩具キットを組み立てて、上記したように従来の熱電発電素子を備えた玩具と比較して、モータの推進力をさらに大きくすることができる玩具を構成することができるため、玩具を組み立てたときや玩具で遊ぶときにおける満足感をさらに高めることができる。
【００４１】
（１５）本発明のランプは、ランプ本体と、このランプ本体に取り付けられ、火炎発生部、この火炎発生部の上部に配置された熱電発電素子及びこの熱電発電素子の上部に配置された放熱部を有する熱電発電部と、前記ランプ本体に取り付けられ、前記熱電発電部で発電された電力により発光可能な光源とを備えたことを特徴とする。
【００４２】
このため、本発明のランプによれば、火炎発生部で火炎を発生させることにより、熱電発電素子は火炎発生部で発生する火炎と放熱部との間の温度差で熱電発電を行うようになる。このとき、火炎発生部で発生する火炎と放熱部との間の温度差は、従来のランプの場合の氷水と室温との間の温度差よりも大きくすることが可能であるため、従来の熱電発電素子を備えたランプと比較して、光源から発せられる光の光量をさらに大きくすることができるランプとなる。
【００４３】
また、本発明のランプによれば、火炎発生部で発生する火炎から発せられる光及び光源から発せられる光の２種類の光が発せられることになるため、極めて演色性が高く意匠的にも優れたランプを構成することができるようになる。
また、本発明のランプによれば、火炎発生部で発生する火炎の存在により、使用者に心のやすらぎを与える効果が得られるため、インテリアとしての価値も大きいといえる。
【００４４】
（１６）上記（１５）に記載のランプにおいては、前記火炎発生部は、アルコールランプを有することが好ましい。
【００４５】
このように構成することにより、アルコールランプにアルコールを入れるとともに、このアルコールランプに火を灯すことにより、熱電発電素子が熱電発電を始め、光源から光が放射されるようになる。アルコールが無くなったら、アルコールランプにアルコールを注ぎ足すこととすればよい。アルコールランプの寿命は比較的長いので、ランプとして使用するには好都合である。
【００４６】
（１７）上記（１５）に記載のランプにおいては、前記火炎発生部は、炭設置部を有することが好ましい。
【００４７】
このように構成することにより、炭設置部に火のついた炭を設置することにより、熱電発電素子が熱電発電を始め、光源から光が放射されるようになる。炭は長時間に渡って燃え続けるため、それに応じてランプも長時間光り続ける。炭の寿命は比較的長いので、ランプとして使用するには好都合である。
従って、本発明のランプにおいて、「火炎発生部」の用語は、炭設置部も含む概念で用いている。
【００４８】
（１８）上記（１５）に記載のランプにおいては、前記火炎発生部は、ろうそく設置部を有することが好ましい。
【００４９】
このように構成することにより、ろうそく設置部にろうそくを設置するとともに、このろうそくに火を灯すことにより、熱電発電素子が熱電発電を始め、光源から光が放射されるようになる。ろうそくが無くなったら、別のろうそくを設置することとすればよい。
【００５０】
（１９）上記（１５）〜（１８）のいずれかに記載のランプにおいては、前記放熱部には放熱フィンが設けられていることが好ましい。
【００５１】
本発明のランプにおいては、火炎発生部で発生する火炎の温度が高いため、この熱が熱電発電素子を介して放熱部に伝わって、放熱部の温度が大きく上昇することとなる。このため、本発明のランプにおいては、放熱部に放熱フィンを設けることとして、放熱部の温度が過度に上昇しないようにしている。
この場合、ランプ（例えば、ランプの笠）は、放熱フィンで暖められた空気がランプの外側に円滑に流れ出るよう、また、新鮮な空気が放熱部における放熱フィンに供給されるように構成することが好ましい。
【００５２】
（２０）上記（１５）〜（１９）のいずれかに記載のランプにおいては、前記放熱部には放熱ファンが設けられていることが好ましい。
【００５３】
本発明のランプにおいては、上記したように、火炎発生部で発生する火炎の温度が高いため、この熱が熱電発電素子を介して放熱部に伝わって、放熱部の温度が大きく上昇することとなる。このため、本発明のランプにおいては、放熱部に放熱ファンを設けることとして、放熱部の温度が過度に上昇しないようにしている。
この場合、ランプ（例えば、ランプの笠）は、放熱ファンの排気が熱電発電素子に供給されるよう、また、熱電発電素子で暖められた空気がランプの外側に円滑に流れ出るよう、さらにまた、新鮮な空気が放熱ファンに供給されるように構成されていることが好ましい。
【００５４】
なお、本発明のランプにおいては、放熱部には、上記した放熱フィン、放熱ファンに代えて、又は上記した放熱フィン、放熱ファンとともに、金属製の水槽を設けても良い。この水槽に水を入れたり、氷を載置したりすることにより、放熱効率を大幅に向上させることができる。
【００５５】
（２１）上記（１５）〜（２０）のいずれかに記載のランプにおいては、前記光源は、ＬＥＤからなることが好ましい。
【００５６】
このため、本発明のランプによれば、光源としてＬＥＤからなる光源を備えているため、演色性の高いランプとなる。
【００５７】
上記（２１）に記載のランプにおいては、複数のＬＥＤを有することがさらに好ましい。このように構成することにより、さらに演色性の高いランプとなる。この場合、ＬＥＤは消費電力が極めて低いため、ランプ全体としての消費電力をそれほど大きいものにすることもない。
【００５８】
（２２）上記（１５）〜（２１）のいずれかに記載のランプにおいては、前記熱電発電部で発電された電力を蓄える蓄電装置をさらに備えることが好ましい。
【００５９】
このように構成することにより、火炎が発生しなくなってもしばらくは光源から光を放射し続けることができるようになり、ランプとしての価値を高めることができる。
この場合、蓄電装置としては、二次電池、大容量キャパシタなどを好ましく用いることができる。なかでも、急速に充電することが容易な大容量キャパシタを特に好ましく用いることができる。
【００６０】
（２３）上記（１５）〜（２２）のいずれかに記載のランプにおいては、前記ランプ本体は金属製の台座及び支柱を有し、この台座及び支柱は前記放熱部に熱的に接続されていることが好ましい。
【００６１】
このように構成することにより、放熱性能が向上し、火炎からの熱を効率良く外気に放散することができるようになる。また、このランプを例えば雪山で使用するときには、このランプを雪の上に単に載置するだけで、火炎からの熱を効率良く雪に放散することができるようになる。
【００６２】
（２４）上記（１５）〜（２３）のいずれかに記載のランプにおいては、前記熱電発電部で発電された電力により外部バッテリー又は外部機器を充電するための充電用出力端子をさらに備えることが好ましい。
【００６３】
このように構成することにより、商用電源がない場所であっても、本発明のランプがあれば、外部バッテリー又は外部機器を充電することができるようになるため、ランプとしての価値を高めることができる。
【００６４】
（２５）本発明の充電装置は、火炎発生部、この火炎発生部の上部に配置された熱電発電素子及びこの熱電発電素子の上部に配置された放熱部を有する熱電発電部と、前記熱電発電部で発電された電力により外部バッテリー又は外部機器を充電するための充電用出力端子とを備えたことを特徴とする。
【００６５】
このため、本発明の充電装置によれば、熱電発電素子は火炎発生部で発生する火炎と放熱部との間の温度差で熱電発電を行うことができるため、商用電源がない場所であっても、外部バッテリー又は外部機器を充電することができるようになる。
【００６６】
（２６）上記（２５）に記載の充電装置においては、前記放熱部は、前記熱電発電素子に熱的に接触されている水槽であることが好ましい。
【００６７】
このように構成することにより、水槽に氷水を入れた状態で火炎発生部で火炎を発生させることにより、熱電発電素子は火炎発生部で発生する火炎と水槽の中の氷水との間の比較的大きな温度差で熱電発電を行うようになるため、熱電発電効率が高まり、外部バッテリー又は外部機器をより高速に充電することができるようになる。
【００６８】
上記（２６）に記載の充電装置においては、火炎発生部で発生する火炎の温度が高いため、この熱が熱電発電素子を介して水槽に伝わって、水槽においては徐々に氷が融けて水になる。そのような場合には、水槽における氷水の状態を見ながら適宜氷を注ぎ足すこととすればよい。
【００６９】
また、上記（２６）に記載の充電装置においては、熱電発電素子は火炎発生部で発生する火炎と水槽の中の氷水との間の温度差で熱電発電を行うことができる。このため、熱電発電素子における火炎発生部側の温度をそれほど高くしなくとも温度差を確保できるため、熱電発電素子の劣化を抑制することができるという効果も得られる。
【００７０】
なお、上記（２５）又は（２６）に記載の充電装置においては、前記火炎発生部は、ろうそく設置部を有することが好ましい。
【００７１】
このように構成することにより、ろうそく設置部にろうそくを設置するとともに、このろうそくに火を灯すことにより、熱電発電素子が熱電発電を始め、充電が開始される。ろうそくが無くなったら、別のろうそくを設置することとすればよい。
【００７２】
また、上記（２５）又は（２６）に記載の充電装置においては、前記火炎発生部は、アルコールランプを有することも好ましい。
【００７３】
このように構成することにより、アルコールランプにアルコールを入れるとともに、このアルコールランプに火を灯すことにより、熱電発電素子が熱電発電を始め、充電が開始される。アルコールが無くなったら、アルコールランプにアルコールを注ぎ足すこととすればよい。
【００７４】
また、上記（２５）又は（２６）に記載の充電装置においては、前記火炎発生部は、炭設置部を有することも好ましい。
【００７５】
このように構成することにより、炭設置部に火のついた炭を設置することにより、熱電発電素子が熱電発電を始め、充電が開始される。炭は長時間に渡って燃え続けるため、それに応じて長時間にわたって充電を行うことができる。
【００７６】
また、上記（２６）に記載の充電装置においては、前記水槽は、少なくとも底面が金属からなることが好ましい。
【００７７】
このように構成することにより、熱電発電素子と水槽との間で良好な熱的接続がとれるようになる。
この場合、熱電発電素子と水槽との間には、耐熱性のある熱伝導性グリースが塗布されていることが好ましい。なお、熱伝導性グリースに代えて、熱伝導性シートや熱伝導性両面テープを用いることもできる。
【００７８】
また、上記（２６）に記載の充電装置においては、前記水槽は、固定解除可能な固定治具により前記熱電発電部に一体化されていることが好ましい。
【００７９】
このように構成することにより、水槽の氷が融けて水槽に適正量以上の水が溜まった状態になったときには、水槽中に溜まった水を吸い出して除去することのほか、固定治具を解除することによって水槽を取り外して、容易に水を捨てることができるようになる。
固定治具としては、ゴムやスプリングなどの弾性手段を好適に用いることができる。
【００８０】
また、上記（２６）に記載の充電装置においては、前記熱電発電部は、熱電発電素子の温度をモニターするための温度センサ及びこの温度センサにより検出された温度が所定温度を超えた場合に警報を発する警報装置をさらに有することが好ましい。
【００８１】
このように構成することにより、熱電発電素子の温度が上昇した場合には、警報装置が警報を発生するようにすることができる。このため、熱電発電素子が過熱して破損してしまうことを未然に防止することができる。
この場合、警報装置としては、アラーム音を発するものであることが好ましい。
また、警報が発せられた場合の措置としては、火炎を消すことのほか、熱電発電素子を火炎発生部から取り外したり、水槽に氷を注ぎ足したりすることなどがある。
【発明を実施するための最良の形態】
【００８２】
以下、本発明の玩具、玩具キット、ランプ及び充電装置について、図に示す実施の形態に基づいて説明する。
【００８３】
［実施形態１］
図１は、実施形態１に係る玩具１００を説明するために示す図である。図２は、玩具１００における熱電発電部１２０を説明するために示す図である。
【００８４】
実施形態１に係る玩具１００は、図１に示すように、水陸両用車玩具であって、玩具本体１１０と、玩具本体１１０に取り付けられた熱電発電部１２０と、駆動部１３０とを備えている。熱電発電部１２０は、火炎発生部１２２、火炎発生部１２２の上部に配置された熱電発電素子１２４及び熱電発電素子１２４の上部に配置され熱電発電素子１２４に熱的に接触されている水槽１２６を有している。駆動部１３０は、熱電発電部１２０で発電された電力により回転可能なモータ１３２及び外輪１４０を有している。
【００８５】
実施形態１に係る玩具１００においては、水槽１２６に氷水を入れた状態で火炎発生部１２２で火炎を発生させる。これにより、熱電発電素子１２４は火炎発生部１２２で発生する火炎と水槽１２６の中の氷水との間の温度差で熱電発電を行うようになる。
【００８６】
このため、実施形態１に係る玩具１００によれば、水槽１２６に氷水を入れた状態で火炎発生部１２２で火炎を発生させることにより、熱電発電素子１２４は火炎発生部１２２で発生する火炎と水槽１２６の中の氷水との間の温度差で熱電発電を行うようになる。このとき、火炎発生部１２２で発生する火炎と水槽１２６の中の氷水との間の温度差は、従来の玩具８００の場合の風呂の湯と氷水との間の温度差よりも大きくすることが可能であるため、実施形態１に係る玩具１００によれば、従来の熱電発電素子を備えた玩具８００と比較して、モータの推進力をさらに大きくすることができる玩具となる。
【００８７】
実施形態１に係る玩具１００においては、火炎発生部１２２で発生する火炎の温度が高いため、この熱が熱電発電素子１２４を介して水槽１２６に伝わって、水槽１２６においては徐々に氷が融けて水になる。そのような場合には、水槽１２６における氷水の状態を見ながら適宜氷を注ぎ足すこととすればよい。
【００８８】
また、実施形態１に係る玩具１００においては、熱電発電素子１２４は火炎発生部１２２で発生する火炎と水槽１２６の中の氷水との間の温度差で熱電発電を行うことができるため、熱電発電素子１２４における火炎発生部１２２側の温度をそれほど高くしなくとも温度差を確保できるため、熱電発電素子１２４が速く劣化してしまうこともなくなる。
【００８９】
実施形態１に係る玩具１００においては、図２に示すように、火炎発生部１２２は、ろうそく設置部１７２を有している。
このため、実施形態１に係る１００によれば、ろうそく設置部１７２にろうそくＲを設置するとともに、このろうそくＲに火を灯すことにより、熱電発電素子１２４が熱電発電を始め、玩具１００（この場合、モータ１３２及び外輪１４０）が動き始める。ろうそくＲが無くなったら、別のろうそくを設置することとすればよい。ろうそくＲの寿命も１．５ｃｍ長のろうそくで３分以上あり、玩具として遊ぶにのは丁度よい寿命といえる。もちろん、実施形態１に係る玩具１００においては、太い径のろうそくを用いることにより、長時間にわたって玩具を動かし続けることもできる。
【００９０】
実施形態１に係る玩具１００においては、水槽１２６は、全面がアルミニウムからなっている。
このため、実施形態１に係る玩具１００によれば、熱電発電素子１２４と水槽１２６との間で良好な熱的接続がとれるようになる。熱電発電素子１２４と水槽１２６との間には、耐熱性のある熱伝導性グリース（シリコングリース）が塗布されている。
【００９１】
実施形態１に係る玩具１００においては、水槽１２６は、固定治具としてのゴムバンド１７４により熱電発電部１２０に一体化されている。具体的には、水槽１２６及び火炎発生部１２２の外壁にはそれぞれゴムバンド止め１７６，１７８が設けられており、これらのゴムバンド止め１７６，１７８にゴムバンド１７４を掛けることにより、水槽１２６は熱電発電部１２０に一体化される。
【００９２】
このため、実施形態１に係る玩具１００によれば、水槽１２６の氷が融けて水槽１２６に適正量以上の水が溜まった状態になったときには、ゴムバンド１７４の係止を解除することによって水槽１２６を簡単に取り外すことができる。このため、水槽１２６中の水を容易に捨てることができるようになる。
固定治具としては、ゴムバンドに代えて、スプリングなどの弾性手段を好適に用いることができる。
【００９３】
実施形態１に係る玩具１００においては、熱電発電部１２０は、熱電発電素子１２４の温度をモニターするための温度センサ１８０（図示せず。）及びこの温度センサ１８０により検出された温度が所定温度を超えた場合に警報を発する警報装置１８２（図示せず。）をさらに有している。
【００９４】
このため、実施形態１に係る玩具１００によれば、例えば、水槽１２６において氷水が少なくなって熱電発電素子１２４の温度が上昇した場合には、警報装置１８２が警報を発生するようにすることができる。このため、水槽１２６において氷水が完全に無くなって熱電発電素子１２４が過熱して破損してしまうことを防止することができる。
この場合、警報装置１８２としては、アラーム音を発するものを用いている。
実施形態１に係る玩具１００において、警報が発せられた場合には、火炎を消すことのほか、熱電発電素子１２４を火炎発生部１２２から取り外したり、水槽１２６に氷を注ぎ足したりすることなどがある。
【００９５】
実施形態１に係る玩具１００においては、水槽１２６と熱電発電素子１２４とが一体化されたユニットになった状態で、ゴムバンド１７４により熱電発電部１２０に一体化されている。
【００９６】
このため、実施形態１に係る玩具１００によれば、熱電発電素子１２４が過熱するおそれのあるときには、ゴムバンド１７４の係止を解除することによって、水槽１２６と熱電発電素子１２４とが一体化されたユニットを取り外して、熱電発電素子１２４が過熱するのを未然に防止することができる。
【００９７】
実施形態１に係る玩具１００においては、熱電発電部１２０で発電された電力を蓄える蓄電装置としての大容量キャパシタ１９０（図示せず。）をさらに備えている。
【００９８】
このため、実施形態１に係る玩具１００によれば、火炎が発生しなくなってもしばらくは玩具を動かし続けることができるようになり、玩具としての価値を高めることができる。
蓄電装置としては、大容量キャパシタの代わりに、二次電池を用いることもできる。また、蓄電装置を備えないようにすることもできる。
【００９９】
実施形態１に係る玩具１００においては、熱電発電部１２０からモータ１３２に供給される電力の極性を切り替える切替スイッチ１９２（図示せず。）をさらに備えている。
【０１００】
このため、実施形態１に係る玩具１００によれば、前進又は後進を自由自在に設定することができるようになり、やはり玩具としての価値を高めることができる。
【０１０１】
実施形態１に係る玩具１００においては、駆動部１３０は、モータ１３２の変速比を変更するための変速装置１３４（図示せず。）をさらに有している。
【０１０２】
このため、実施形態１に係る玩具１００によれば、モータ１３２の変速比を自由自在に設定することができるようになり、やはり玩具としての価値を高めることができる。
【０１０３】
実施形態１に係る玩具１００は、図１に示すように、水陸両用車玩具である。そして、この玩具１００は、モータ１３２によって駆動される外輪１４０をさらに備え、外輪１４０は水かき１４２に加えてタイヤ１４４を有している。これにより、外輪１４０は、陸上では車輪として機能する。また、玩具１００の前方には前輪兼舵１５０が設けられている。これにより、前輪兼舵１５０は、水上では舵として機能し、陸上では前輪として機能する。
【０１０４】
このため、実施形態１に係る玩具１００によれば、風呂、水槽、プール、池などにこの玩具１００を浮かべたり、陸上でこの玩具１００を走らせたりして遊ぶことができるため、価値の高い水陸両用車玩具となる。
【０１０５】
実施形態１に係る玩具１００は、玩具として組み立てる前の状態のキットとして、流通させることもできる。
【０１０６】
このようにすれば、玩具キットの購入者は、玩具キットを組み立ることにより、実施形態１に係る玩具１００を組み立てることができるようになるため、玩具を組み立てたときや玩具で遊ぶときにおける満足感をさらに高めることができるという効果も得られる。
【０１０７】
［実施形態２］
図３は、実施形態２に係る玩具１００ａにおける熱電発電部１２０ａを説明するために示す図である。
実施形態２に係る玩具１００ａ（図示せず。）は、基本的には実施形態１に係る玩具１００と同じ構成を有しているが、熱電発電部の構成が実施形態１に係る玩具１００の場合とは異なる。
すなわち、実施形態２に係る玩具１００ａにおいては、熱電発電部１２０ａは、アルコールランプＬを有する火炎発生部１２２ａを有している。
【０１０８】
このように、実施形態２に係る玩具１００ａは、熱電発電部の構成が実施形態１に係る玩具１００の場合とは異なるが、その他の構成が実施形態１に係る玩具１００の場合と同様であるため、実施形態１に係る玩具１００が有する効果をそのまま有する。
【０１０９】
また、実施形態２に係る玩具１００ａによれば、アルコールランプＬにアルコールを入れるとともに、このアルコールランプＬに火を灯すことにより、熱電発電素子１２４が熱電発電を始め、玩具１００ａが動き始める。そして、アルコールランプＬ中のアルコールがなくなるまで動き続けるため、実施形態１に係る玩具１００の場合よりも長時間に渡って玩具を動かせることができる。この場合、アルコールランプＬ中のアルコールが無くなったら、アルコールランプＬにアルコールを注ぎ足すこととすればよい。
【０１１０】
［実施形態３］
図４は、実施形態３に係る玩具１００ｂにおける熱電発電部１２０ｂを説明するために示す図である。
実施形態３に係る玩具１００ｂは、基本的には実施形態１に係る玩具１００と同じ構成を有しているが、熱電発電部の構成が実施形態１に係る玩具１００の場合とは異なる。
すなわち、実施形態３に係る玩具１００ｂにおいては、熱電発電部１２０ｂは、炭設置部１７２ｂを有する火炎発生部１２２ｂを有している。
【０１１１】
このように、実施形態３に係る玩具１００ｂは、熱電発電部の構成が実施形態１に係る玩具１００の場合とは異なるが、その他の構成が実施形態１に係る玩具１００の場合と同様であるため、実施形態１に係る玩具１００が有する効果をそのまま有する。
【０１１２】
また、実施形態３に係る玩具１００ｂによれば、炭設置部１７２ｂに火のついた炭Ｃを設置することにより、熱電発電素子１２４が熱電発電を始め、玩具１００ｂが動き始める。この場合、炭Ｃは長時間に渡って燃え続けるため、それに応じて玩具１００ｂも長時間動き続ける。
【０１１３】
［実施形態４］
図５は、実施形態４に係る玩具２００を説明するために示す図である。
実施形態４に係る玩具２００は、図５に示すように、船玩具であって、玩具本体２１０と、玩具本体２１０に取り付けられた熱電発電部２２０と、駆動部２３０とを備えている。熱電発電部２２０は、火炎発生部２２２、火炎発生部２２２の上部に配置された熱電発電素子２２４及び熱電発電素子２２４の上部に配置され熱電発電素子２２４に熱的に接触されている水槽２２６を有している。駆動部２３０は、熱電発電部２２０で発電された電力により回転可能なモータ２３２及びスクリュー２３８を有している。また、玩具２００は、熱電発電部２２０で発電された電力の一部を各光源２４２に配電するための配電部２４０を有している。
【０１１４】
このため、実施形態４に係る玩具２００によれば、実施形態１に係る玩具１００の場合と同様に、水槽２２６に氷水を入れた状態で火炎発生部２２２で火炎を発生させることにより、熱電発電素子２２４は火炎発生部２２２で発生する火炎と水槽２２６の中の氷水との間の温度差で熱電発電を行うようになる。このとき、火炎発生部２２２で発生する火炎と水槽２２６の中の氷水との間の温度差は、従来の玩具８００の場合の風呂の湯と氷水との間の温度差よりも大きくすることが可能であるため、実施形態４に係る玩具２００によれば、従来の熱電発電素子を備えた玩具８００と比較して、モータの推進力をさらに大きくすることができる玩具となる。
【０１１５】
また、実施形態４に係る玩具２００においては、熱電発電素子２２４は火炎発生部２２２で発生する火炎と水槽２２６の中の氷水との間の温度差で熱電発電を行うことができるため、熱電発電素子２２４における火炎発生部２２２側の温度をそれほど高くしなくとも温度差を確保できるため、熱電発電素子２２４が速く劣化してしまうこともなくなる。
【０１１６】
実施形態４に係る玩具２００においては、上記したように、船玩具であって、モータ２３２によって駆動されるスクリュー２３８を備えている。    
【０１１７】
このため、実施形態４に係る玩具２００によれば、風呂、水槽、プール、池などにこの玩具２００を浮かべて遊ぶことができるため、価値の高い船玩具となる。
この場合、スクリューに代えて、外輪、オール又は櫓を備えるようにしてもよい。
【０１１８】
［実施形態５］
図６及び図７は、実施形態５に係るランプ３００を説明するために示す図である。図７（ａ）はランプ３００を使用した状態における斜視図であり、図７（ｂ）はランプ３００の断面図である。
実施形態５に係るランプ３００は、図６及び図７（ｂ）に示すように、ランプ本体３１０と、ランプ本体３１０に取り付けられ、火炎発生部３２２、火炎発生部３２２の上部に配置された熱電発電素子３２４及び熱電発電素子３２４の上部に配置された放熱部３２６を有する熱電発電部３２０と、ランプ本体３１０に取り付けられ、熱電発電部３２０で発電された電力により発光可能な光源としての複数のＬＥＤ３３０，…，３３０とを備えている。
【０１１９】
実施形態５に係るランプ３００においては、火炎発生部３２２で火炎を発生させる。これにより、熱電発電素子３２４は火炎発生部３２２で発生する火炎と放熱部３２６との間の温度差で熱電発電を行うようになる。
【０１２０】
このため、実施形態５に係るランプ３００によれば、火炎発生部３２２で発生する火炎と放熱部３２６との間の温度差は、従来のランプ９００の場合の氷水と室温との間の温度差よりも大きくすることが可能であるため、実施形態５に係るランプ３００によれば、従来のランプ９００と比較して、光源から発せられる光の光量をさらに大きくすることができるランプとなる。
【０１２１】
また、実施形態５に係るランプ３００によれば、火炎発生部３２２で発生する火炎から発せられる光及び複数のＬＥＤ３３０，…，３３０から発せられる光の２種類の光が発せられることになるため、極めて演色性が高く意匠的にも優れたランプを構成することができるようになる。
また、実施形態５に係るランプ３００によれば、火炎発生部３２２で発生する火炎の存在により、使用者に心のやすらぎを与える効果が得られるため、インテリアとしての価値も大きいといえる。
【０１２２】
実施形態５に係るランプ３００においては、火炎発生部３２２は、アルコールランプＬを有している。
このため、実施形態５に係るランプ３００によれば、アルコールランプＬにアルコールを入れるとともに、このアルコールランプＬに火を灯すことにより、熱電発電素子３２４が熱電発電を始め、複数のＬＥＤ３３０，…，３３０から光が発せられるようになる。アルコールが無くなったら、アルコールランプＬにアルコールを注ぎ足すこととすればよい。アルコールランプＬの寿命は比較的長いので、ランプとして使用するには好都合である。
【０１２３】
実施形態５に係るランプ３００においては、放熱部３２６には放熱ファン３２８が設けられている。
【０１２４】
実施形態５に係るランプ３００においては、火炎発生部３２２で発生する火炎の温度が高いため、この熱が熱電発電素子３２４を介して放熱部３２６に伝わって、放熱部３２６の温度が大きく上昇することとなる。このため、実施形態５に係るランプ３００においては、放熱部３２６に放熱ファン３２８を設けることとして、放熱部３２６の温度が過度に上昇しないようにしている。
また、実施形態５に係るランプ３００においては、ランプ３００の笠３１４は、放熱ファン３２８の排気が熱電発電素子３２４に供給されるよう、また、熱電発電素子３２４で暖められた空気がランプ３００の外側に円滑に流れ出るよう、さらにまた、新鮮な空気が放熱ファン３２８に供給されるように空気穴が開けられている。
【０１２５】
実施形態５に係るランプ３００においては、光源は、複数のＬＥＤ３３０，…，３３０からなる。
このため、実施形態５に係るランプ３００によれば、光源として複数のＬＥＤ３３０，…，３３０からなる光源を備えているため、演色性の高いランプとなる。この場合、ＬＥＤは消費電力が極めて低いため、ランプ全体としての消費電力をそれほど大きいものにすることもない。
【０１２６】
実施形態５に係るランプ３００においては、熱電発電部３２０で発電された電力を蓄える蓄電装置としての大容量キャパシタ３９０（図示せず。）をさらに備えている。
このため、火炎が発生しなくなってもしばらくは光源から光を発することができるようになり、ランプとしての価値を高めることができる。
この場合、蓄電装置としては、大容量キャパシタに代えて、二次電池を用いることもできる。
【０１２７】
［実施形態６］
図８は、実施形態６に係るランプ３００ａを説明するために示す図である。
実施形態６に係るランプ３００ａは、基本的には実施形態５に係るランプ３００と同じ構成を有しているが、熱電発電部の構成が実施形態５に係るランプ３００の場合とは異なる。
すなわち、実施形態６に係るランプ３００ａにおいては、熱電発電部３２０ａ（図示せず。）は、炭設置部３７２ａを有する火炎発生部３２２ａを有している。
【０１２８】
このように、実施形態６に係るランプ３００ａは、熱電発電部の構成が実施形態５に係るランプ３００の場合とは異なるが、その他の構成が実施形態５に係るランプ３００の場合と同様であるため、実施形態５に係るランプ３００が有する効果をそのまま有する。
【０１２９】
また、実施形態６に係るランプ３００ａによれば、炭設置部３７２ａに火のついた炭Ｃを設置することにより、熱電発電素子３２４（図示せず。）が熱電発電を始め、光源としての複数のＬＥＤ３３０，…，３３０から光が放射されるようになる。炭Ｃは長時間に渡って燃え続けるため、それに応じてランプ３００ａも長時間光り続ける。炭Ｃの寿命は比較的長いので、ランプとして使用するには好都合である。
【０１３０】
［実施形態７］
図９は、実施形態７に係るランプ４００を説明するために示す図である。
実施形態７に係るランプ４００は、実施形態５に係るランプ３００とよく似た構成を有しているが、ランプ本体の構成及び熱電発電部における放熱構造が実施形態５に係るランプ３００の場合とは異なる。
すなわち、実施形態７に係るランプ４００においては、ランプ本体４１０は、金属製の台座４１１及び支柱４１２を有し、台座４１１及び支柱４１２は放熱部４２６に熱的に接続されている。また、放熱ファンに代えて放熱フィン４２８が設けられている。
【０１３１】
このように、実施形態７に係るランプ４００は、ランプ本体の構成及び熱電発電部における放熱構造が実施形態５に係るランプ３００の場合とは異なるが、その他の構成が実施形態５に係るランプ３００の場合と同様であるため、実施形態５に係るランプ３００が有する効果をそのまま有する。
【０１３２】
また、実施形態７に係るランプ４００においては、ランタン型ランプであって、ランプ本体４１０が金属製の台座４１１及び支柱４１２を有し、台座４１１及び支柱４１２は放熱部４２６に熱的に接続されているため、放熱性能が向上し、火炎からの熱を効率良く外気に放散することができるようになる。従って、このランプ４００を例えば雪山で使用するときには、このランプ４００を雪の上に単に載置するだけで、火炎からの熱を効率良く雪に放散することができるようになる。
また、実施形態７に係るランプ４００においては、放熱部４２６には放熱フィン４２８が設けられている。このため、実施形態５又は６に係るランプ３００，３００ａと比較して、熱電発電された電力を無駄に消費せず、かつ、静かなランプとなる。
【０１３３】
［実施形態８］
図１０は、実施形態８に係るランプ５００を説明するために示す図である。
実施形態８に係るランプ５００は、実施形態５〜７に係るランプ３００，３００ａ，４００とは形状がかなり異なるが、ランプ本体５１０と、ランプ本体５１０に取り付けられ、火炎発生部５２２、火炎発生部５２２の上部に配置された熱電発電素子５２４及び熱電発電素子５２４の上部に配置された放熱部５２６を有する熱電発電部５２０と、ランプ本体５１０に取り付けられ、熱電発電部５２０で発電された電力により発光可能な光源としての複数のＬＥＤ５３０，…，５３０とを備えている。
【０１３４】
このため、実施形態８に係るランプ５００によれば、火炎発生部５２２で火炎を発生させることにより、熱電発電素子５２４は火炎発生部５２２で発生する火炎と放熱部５２６との間の温度差で熱電発電を行うようになる。このとき、火炎発生部５２２で発生する火炎と放熱部５２６との間の温度差は、従来のランプ９００の場合の氷水と室温との間の温度差よりも大きくすることが可能であるため、実施形態５〜７に係るランプ３００，３００ａ，４００の場合と同様に、従来のランプ９００と比較して、光源から発せられる光の光量をさらに大きくすることができるランプとなる。
【０１３５】
また、実施形態８に係るランプ５００によれば、火炎発生部５２２で発生する火炎から発せられる光及び複数のＬＥＤ５３０，…，５３０から発せられる光の２種類の光が発せられることになるため、極めて演色性が高く意匠的にも優れたランプを構成することができるようになる。
また、実施形態８に係るランプ５００によれば、火炎発生部５２２で発生する火炎の存在により、使用者に心のやすらぎを与える効果が得られるため、インテリアとしての価値も大きい。
【０１３６】
［実施形態９］
図１１は、実施形態９に係る充電装置６００を説明するために示す図である。図１１（ａ）は実施形態９に係る充電装置６００を説明するために示す図であり、図１１（ｂ）は充電器６８４及び外部バッテリーＢの斜視図である。
実施形態９に係る充電装置６００は、図１１（ａ）に示すように、火炎発生部６２２、火炎発生部６２２の上部に配置された熱電発電素子６２４及び熱電発電素子６２４の上部に配置され熱電発電素子６２４に熱的に接触されている放熱部としての水槽６２６を有する熱電発電部６２０と、熱電発電部６２０で発電された電力により外部バッテリーＢを充電するための充電用出力端子６８２とを備えている。
【０１３７】
このため、実施形態９に係る充電装置６００によれば、水槽６２６に氷水を入れた状態で火炎発生部６２２で火炎を発生させることにより、熱電発電素子６２４は火炎発生部６２２で発生する火炎と水槽６２６の中の氷水との間に発生する温度差で熱電発電を行うようになるため、商用電源がない場所であっても、外部バッテリーＢを充電することができるようになる。外部バッテリーとしては、何でもよいが、携帯電話、ＰＤＡ、デジタルカメラなどの携帯機器に用いられるバッテリーを例示することができる。
【０１３８】
また、実施形態９に係る充電装置６００によれば、熱電発電素子６２４は火炎発生部６２２で発生する火炎と水槽６２６の中の氷水との間に発生する比較的大きな温度差で熱電発電を行うようになるため、熱電発電効率が高まり、外部バッテリーＢをより高速に充電することができるようになる。
【０１３９】
なお、実施形態９に係る充電装置６００においては、図１１（ｂ）に示すように、充電用出力端子６８２を充電器６８４に接続し、充電器６８４中に外部バッテリーＢを載置した状態（充電器６８４における外部バッテリー充電用端子６８６に外部バッテリーＢを接続した状態）で充電を行うようにしている。
【０１４０】
実施形態９に係る充電装置６００においては、火炎発生部６２２で発生する火炎の温度が高いため、この熱が熱電発電素子６２４を介して水槽６２６に伝わって、水槽６２６においては徐々に氷が融けて水になる。そのような場合には、水槽６２６における氷水の状態を見ながら適宜氷を注ぎ足すこととすればよい。
【０１４１】
また、実施形態９に係る充電装置６００においては、熱電発電素子６２４は火炎発生部６２２で発生する火炎と水槽６２６の中の氷水との間の温度差で熱電発電を行うことができる。このため、熱電発電素子６２４における火炎発生部６２２側の温度をそれほど高くしなくとも温度差を確保できるため、熱電発電素子６２４の劣化を抑制することができるという効果も得られる。
【０１４２】
実施形態９に係る充電装置６００においては、火炎発生部６２２は、ろうそく設置部６７２を有している。このため、ろうそく設置部６７２にろうそくＲを設置するとともに、このろうそくＲに火を灯すことにより、熱電発電素子６２４が熱電発電を始め、充電が開始される。ろうそくＲが無くなったら、別のろうそくを設置することとすればよい。
【０１４３】
また、実施形態９に係る充電装置６００においては、水槽６２６の底面はアルミニウムからなる。このため、熱電発電素子６２４と水槽６２６との間で良好な熱的接続がとれるようになる。熱電発電素子６２４と水槽６２６との間には、耐熱性のある熱伝導性グリース（シリコングリース）が塗布されている。
【０１４４】
また、実施形態９に係る充電装置６００においては、水槽６２６は、固定解除可能な固定治具としてのゴムバンド６７４により熱電発電部６２０に一体化されている。このため、水槽６２６の氷が融けて水槽６２６に適正量以上の水が溜まった状態になったときには、ゴムバンド６７４を解除することによって水槽６２６を取り外して、容易に水を捨てることができるようになる。
固定治具としては、ゴムバンドに代えて、スプリングなどの弾性手段を好適に用いることができる。
【０１４５】
また、実施形態９に係る充電装置６００においては、熱電発電部６２０は、熱電発電素子６２４の温度をモニターするための温度センサ（図示せず。）及び温度センサにより検出された温度が所定温度を超えた場合に警報を発する警報装置（図示せず。）をさらに有している。このため、熱電発電素子６２４の温度が上昇した場合には、警報装置が警報を発生するようにすることができる。このため、熱電発電素子６２４が過熱して破損してしまうことを未然に防止することができる。警報装置としては、アラーム音を発するものを用いている。警報が発せられた場合の措置としては、火炎を消すことのほか、熱電発電素子６２４を火炎発生部６２２から取り外したりすることなどがある。
【０１４６】
［実施形態１０］
図１２は、実施形態１０に係る充電装置７００を説明するために示す図である。図１２（ａ）は実施形態１０に係る充電装置７００を説明するために示す図であり、図１２（ｂ）は充電器７８４及び携帯電話Ｍの斜視図である。
実施形態１０に係る充電装置７００は、基本的には実施形態９に係る充電装置６００と同じ構成を有しているが、充電対象物が実施形態９に係る充電装置６００の場合とは異なる。
すなわち、実施形態１０に係る充電装置７００においては、携帯電話Ｍを充電対象物としている。
【０１４７】
このように、実施形態１０に係る充電装置７００は、充電対象物が実施形態９に係る充電装置６００の場合とは異なるが、その他の構成が実施形態９に係る充電装置６００の場合と同様であるため、実施形態９に係る充電装置６００が有する効果をそのまま有する。
【０１４８】
以上、本発明の玩具、玩具キット、ランプ及び充電装置を上記の各実施形態に基づいて説明したが、本発明は上記の各実施形態に限られるものではなく、その要旨を逸脱しない範囲において種々の態様において実施することが可能であり、例えば次のような変形も可能である。
【０１４９】
上記した実施形態５〜８に係るランプ３００，３００ａ，４００，５００は、放熱部３２６，４２６，５２６には、放熱ファン３２８や放熱フィン４２８，５２８が設けられているが、本発明はこれに限られず、これに代えて又はこれとともに、金属製の水槽を設けられていてもよい。これによっても、放熱効率を大幅に向上させることができる。
【０１５０】
上記した実施形態５〜８に係るランプ３００，３００ａ，４００，５００においては、火炎発生部３２２，３２２ａ，４２２，５２２がアルコールランプＬ又は炭設置部３７２ａを有する場合について説明したが、本発明はこれに限られず、火炎発生部が、アルコールランプ又は炭設置部に代えて、ろうそく設置部を有していてもよい。この場合には、ろうそく設置部にろうそくを設置するとともに、このろうそくに火を灯すことにより、熱電発電素子が熱電発電を始め、光源から光が放射されるようになる。ろうそくが無くなったら、別のろうそくを設置することとすればよい。
【０１５１】
上記した実施形態９及び１０に係る充電装置６００，７００においては、火炎発生部６２２，７２２がろうそく設置部６７２，７７２を有する場合について説明したが、本発明はこれに限られず、火炎発生部が、ろうそく設置部に代えて、アルコールランプや炭設置部を有していてもよい。
【０１５２】
上記した実施形態９及び１０に係る充電装置６００，７００においては、放熱部として、水槽６２６，７２６を有する場合について説明したが、本発明はこれに限られない。また、放熱部には、放熱フィンや放熱ファンが設けられていてもよい。
【０１５３】
上記した実施形態９及び１０に係る充電装置６００，７００における充電用出力端子６８２，７８２を、上記した実施形態１〜４に係る玩具１００，１００ａ，１００ｂ，２００、実施形態５〜８に係るランプ３００，３００ａ，４００，５００に設けることもできる。このように構成することにより、商用電源がなくても、外部バッテリー又は外部機器を充電することができるようになるため、玩具又はランプとしての価値を高めることができる。
【図面の簡単な説明】
【０１５４】
【図１】実施形態１に係る玩具１００を説明するために示す図である。
【図２】実施形態１に係る玩具１００における熱電発電部１２０を説明するために示す図である。
【図３】実施形態２に係る玩具１００ａにおける熱電発電部１２０ａを説明するために示す図である。
【図４】実施形態３に係る玩具１００ｂにおける熱電発電部１２０ｂを説明するために示す図である。
【図５】実施形態４に係る玩具２００を説明するために示す図である。
【図６】実施形態５に係るランプ３００を説明するために示す図である。
【図７】実施形態５に係るランプ３００を説明するために示す図である。
【図８】実施形態６に係るランプ３００ａを説明するために示す図である。
【図９】実施形態７に係るランプ４００を説明するために示す図である。
【図１０】実施形態８に係るランプ５００を説明するために示す図である。
【図１１】実施形態９に係る充電装置６００を説明するために示す図である。
【図１２】実施形態１０に係る充電装置７００を説明するために示す図である。
【図１３】従来の玩具８００を説明するために示す図である。
【図１４】従来のランプ９００を説明するために示す図である。
【符号の説明】
【０１５５】
１００，２００，８００…玩具、１１０，２１０…玩具本体、１２０，２２０，１２０ａ，１２０ｂ，３２０，４２０，５２０，６２０，７２０…熱電発電部、１２２，１２２ａ，１２２ｂ，２２２，３２２，３２２ａ，４２２，５２２，６２２，７２２…火炎発生部、１２４，２２４，３２４，４２４，５２４，６２４，７２４，８４０，９１２…熱電発電素子、１２６，２２６，６２６，７２６，８５０…水槽、１３０，２３０…駆動部、１３２，２３２，８２０…モータ、１４０…外輪、１４２…水かき、１４４…タイヤ、１５０…前輪兼舵、１６０…バランサ、１７２，６７２，７７２…ろうそく設置部、１７２ａ，３７２，４７２，５７２…アルコールランプ設置部、１７２ｂ，３７２ａ…炭設置部、１７４，６７４，７７４…ゴムバンド、１７６，１７８，６７６，６７８，７７６，７７８…ゴムバンド止め、２３４…ジョイント、２３６…シール、２３８，８３０…スクリュー、２４０…配電部、２４２，９１４…光源、３００，３００ａ，４００，５００，９００…ランプ、３１０，４１０，５１０…ランプ本体、３１１，４１１，５１１，９１０…台、３１２…手持ち部、３１３，４１３…取手、３１４，４１４，５１４…笠、３１５…ガラス、３２３，４２３，５２３…天板、３２６，４２６，５２６…放熱部、３２８…放熱ファン、３３０，４３０，５３０…ＬＥＤ、３４０…光源駆動部、４１２…支柱、４２８，５２８…放熱フィン、５１２…装飾ガラス、６００，７００…充電装置、６８０，７８０…電線、６８２，７８２…充電用出力端子、６８４，７８４…充電器、６８６…充電器における外部バッテリー充電用端子、７８６…充電器における携帯電話充電用端子、８１０…船玩具本体、８６０…舵、９２０…アイスペール、Ｂ…外部バッテリー、Ｃ…炭、Ｌ…アルコールランプ、Ｍ…携帯電話、Ｒ…ろうそく
【図２】
2006130287.tif 000003
【図３】
2006130287.tif 000004
【図４】
2006130287.tif 000005
【図５】
2006130287.tif 000006
【図１１】
2006130287.tif 000007
【図１２】
2006130287.tif 000008
【図１３】
2006130287.tif 000009
【図１４】
2006130287.tif 000010
【図１】
2006130287.tif 000011
【図６】
2006130287.tif 000012
【図７】
2006130287.tif 000013
【図８】
2006130287.tif 000014
【図９】
2006130287.tif 000015
【図１０】
2006130287.tif 000016